(57)【要約】【課題】プレゼンティティが開示したいプレゼンス情報を、ウォッチャの場所の変化に応じて提供することができるプレゼンス管理システムを提供する。【解決手段】第一の端末装置は、位置情報と対応付けてメッセージを作成するためのメッセージ作成手段と、メッセージを位置情報と共にプレゼンス情報としてプレゼンスサーバに送信するメッセージ送信手段と、を備え、プレゼンスサーバは、メッセージ送信手段により送信されてきたメッセージを蓄積するメッセージ蓄積手段と、第二の端末装置が存在する位置に応じて、メッセージを第二の端末装置に提供するメッセージ提供手段と、を備えるプレゼンス管理システムを提供する。【選択図】  図１０
2007208393.tif 000002
【特許請求の範囲】
【請求項１】
プレゼンス情報を見せる機能を少なくとも有する第一の端末装置と前記第一の端末装置のプレゼンス情報を見る機能を少なくとも有する第二の端末装置のそれぞれを少なくとも一つずつ含むと共に、プレゼンスサーバを含むプレゼンス管理システムであって、
前記第一の端末装置は、
位置情報と対応付けてメッセージを作成するためのメッセージ作成手段と、
前記メッセージを位置情報と共にプレゼンス情報として前記プレゼンスサーバに送信するメッセージ送信手段と、を備え、
前記プレゼンスサーバは、
前記メッセージ送信手段により送信されてきたメッセージを蓄積するメッセージ蓄積手段と、
前記第二の端末装置が存在する位置に応じて、前記メッセージを前記第二の端末装置に提供するメッセージ提供手段と、
を備えることを特徴とするプレゼンス管理システム。
【請求項２】
前記第二の端末装置がプレゼンス情報を見せる機能を、前記第一の端末装置が前記第二の端末装置のプレゼンス情報を見る機能を、さらに有することを特徴とする請求項１に記載のプレゼンス管理システム。
【請求項３】
前記プレゼンスサーバは、前記メッセージに対応付けられた位置情報を指定位置情報として前記第二の端末装置に通知する指定位置情報通知手段を備え、
前記第二の端末装置は、
該端末装置自身の位置を端末位置情報として取得する端末位置情報取得手段を備え、
前記端末位置情報と前記指定位置情報とが所定のルールによって一致する場合に、前記メッセージの取得要求を前記プレゼンスサーバに対して送信し、
前記プレゼンスサーバは、
前記取得要求を受信することにより、前記メッセージを前記第二の端末装置に送信して提供することを特徴とする請求項１または２に記載のプレゼンス管理システム。
【請求項４】
前記端末位置情報取得手段は、ＧＰＳ、基地局との通信、非接触ＩＣカードの通信に使用される無線信号、外部機器との近距離無線通信による通信、二次元バーコードの読み取りのいずれかにより前記端末位置情報を取得することを特徴とする請求項３に記載のプレゼンス管理システム。
【請求項５】
前記プレゼンスサーバは、前記第二の端末装置の位置を端末位置情報として把握し、該端末位置情報と前記メッセージに対応付けられた位置情報である指定位置情報とが所定のルールによって一致する場合に、前記メッセージを前記第二の端末装置に送信して提供することを特徴とする請求項１または２に記載のプレゼンス管理システム。
【請求項６】
前記第一の端末装置および前記第二の端末装置は、該端末装置自身の位置情報を取得する手段と、前記取得される位置情報をプレゼンス情報の一要素として前記プレゼンスサーバに送信する手段とを備え、
前記プレゼンスサーバは、前記取得される位置情報を前記第二の端末装置の端末位置情報として把握し、
該端末位置情報と前記メッセージに対応付けられた位置情報である指定位置情報とが所定のルールによって一致する場合に、前記メッセージを前記第二の端末装置に送信して提供することを特徴とする請求項２に記載のプレゼンス管理システム。
【請求項７】
前記所定のルールは、前記指定位置情報が示す位置を基準とする所定の範囲内に前記端末位置情報が示す位置が含まれることであることを特徴とする請求項３から６のいずれかに記載のプレゼンス管理システム。
【請求項８】
前記メッセージ作成手段は、前記第一の端末装置のプレゼンスを設定するためのプレゼンス設定画面を用いて作成可能であることを特徴とする請求項１から７のいずれかに記載のプレゼンス管理システム。
【請求項９】
前記メッセージ作成手段は、さらに、前記メッセージの有効期限を設定できることを特徴とする請求項１から８のいずれかに記載のプレゼンス管理システム。
【請求項１０】
前記メッセージ作成手段は、位置に関する情報だけを前記プレゼンスサーバに送信し、前記プレゼンスサーバはその位置に関する情報から前記メッセージに対応付けられた位置情報である指定位置情報を生成して、前記メッセージと関連付けて蓄積することを特徴とする請求項１から９のいずれかに記載のプレゼンス管理システム。
【請求項１１】
前記プレゼンスサーバは、前記メッセージと、プレゼンス情報に含まれるステータスとを関連付けて蓄積することを特徴とする請求項１から１０のいずれかに記載のプレゼンス管理システム。
【請求項１２】
プレゼンス情報を見せる機能を少なくとも有する第一の端末装置と前記第一の端末装置のプレゼンス情報を見る機能を少なくとも有する第二の端末装置のそれぞれを少なくとも一つずつ含むと共に、プレゼンスサーバを含むプレゼンス管理システムであって、
前記第一の端末装置は、
位置情報と対応付けてメッセージを作成するためのメッセージ作成手段と、
前記メッセージを位置情報と共にプレゼンス情報として送信するメッセージ送信手段と、
前記メッセージ送信手段により送信するメッセージを蓄積するメッセージ蓄積手段と、を備え、
前記プレゼンスサーバは、
前記第一の端末装置の前記プレゼンス情報の送信先となる前記第二の端末装置を決定する送信先決定手段を備え、
前記送信先決定手段により決定された前記第二の端末装置が存在する位置に応じて、前記メッセージを前記送信先決定手段により決定された第二の端末装置に提供すること、
を特徴とするプレゼンス管理システム。
【請求項１３】
前記第一の端末装置は、前記メッセージに対応付けられた位置情報を指定位置情報として前記送信先決定手段により決定された第二の端末装置に通知する指定位置情報通知手段を備え、
前記送信先決定手段により決定された第二の端末装置は、
該端末装置自身の位置を端末位置情報として取得する端末位置情報取得手段を備え、
前記端末位置情報と前記指定位置情報とが所定のルールによって一致する場合に、前記メッセージの取得要求を前記第一の端末装置に対して送信し、
前記前記第一の端末装置は、
前記取得要求を受信することにより、前記メッセージを、前記取得要求を送信した第二の端末装置に送信することを特徴とする請求項１２に記載のプレゼンス管理システム。
【発明の詳細な説明】
【技術分野】
【０００１】
本発明は、メッセージングサービスにおけるプレゼンス機能を備えたプレゼンス管理システムに関するものである。
【背景技術】
【０００２】
近年、ブロードバンドサービスの展開に伴い、様々なコミュニケーションサービスが提供されるようになってきている。例えば、インターネット電話や、インスタントメッセージ（ＩＭ）サービス等もその一種である。
【０００３】
インターネット電話同士の通話では、通話相手もネットワーク上にいないと電話を接続できないため、相手のログイン状態を知ることが重要となる。その手段として、プレゼンスがある。プレゼンスとは、相手の状態を知ることができる機能である。プレゼンスを実現するための代表的な技術として、ＳＩＰ等が挙げられる。ＳＩＰ（Session Initiation Protocol）とは、ＶｏＩＰ（Voice over Internet Protocol）を応用したインターネット電話などで用いられる、通話制御プロトコルの一つである。
【０００４】
また、携帯電話端末にもプレゼンスが搭載され始めてきている。携帯電話端末にプレゼンスを搭載することで、相手の現在の状況が、通話中であるのか、外出中や会議中であるのかなどを事前に確認したうえで、音声通話、インスタントメッセージ、メールなど最適な手段で相手に連絡を取ることが可能になる。また、自分の現在の状況が、外出中や会議中であるのかなどを他人に知らせることができるので、『会議中に電話が掛かってきて困る』、といったことを未然に防ぐことができる。なお、プレゼンスを公開する側をプレゼンティティ（Presentity）と呼び、プレゼンスを閲覧する側をウォッチャ（Watcher）と呼ぶ。
【０００５】
また、携帯電話端末は通常ユーザとともに移動することから、ユーザの位置を現在のユーザのプレゼンス情報とする技術も開示されている。例えば、特許文献１には、複数のクライアント端末と、これら各クライアント端末と通信ネットワークを介して接続し、これら各クライアント端末に対して、前記各クライアント端末間のデータ通信をリアルタイムで中継するメッセージングサービスと、各クライアント端末のプレゼンス情報を配信するプレゼンスサービスとからなるインスタントメッセージングサービスを提供するインスタントメッセージングサーバーとからなるインスタントメッセージングシステムにおいて、前記各クライアント端末には、当該端末の位置情報を取得する位置情報取得手段と、得られた位置情報をインスタントメッセージングサーバーへ送信する送信手段とが設けられており、前記インスタントメッセージングサーバーは、前記位置情報をプレゼンス情報としてクライアント端末へ配信することを特徴とするインスタントメッセージングシステム、が記載されている。すなわち、各携帯電話端末のユーザが現在の位置情報をプレゼンス情報とすることで、リアルタイムでお互いの位置を知ることができる。
【０００６】
【特許文献１】特開２００４−６４６４７号公報
【発明の開示】
【発明が解決しようとする課題】
【０００７】
また、現在、プレゼンスでは、コメントや写真といった様々な情報を自己のプレゼンス情報として開示することが可能となってきている。例えば、プレゼンス情報にコメントを含める場合、プレゼンティティは通常、ウォッチャたちに伝えたい内容をコメントに含める。一方、例えば、駅に設置されている伝言板のような、ある場所に関する情報をその場所にいる人に伝えるという手段が求められているが、携帯電話端末等を用いて実現されていない。
【０００８】
そこで、本発明は、プレゼンスを用いて、ある場所に関する情報をその場所にいる人に伝えるということを実現可能なプレゼンス管理システムを提供することを目的とする。
【課題を解決するための手段】
【０００９】
上記目的を達成するために、本発明では、プレゼンス情報を見せる機能を少なくとも有する第一の端末装置と前記第一の端末装置のプレゼンス情報を見る機能を少なくとも有する第二の端末装置のそれぞれを少なくとも一つずつ含むと共に、プレゼンスサーバを含むプレゼンス管理システムであって、前記第一の端末装置は、位置情報と対応付けてメッセージを作成するためのメッセージ作成手段と、前記メッセージを位置情報と共にプレゼンス情報として前記プレゼンスサーバに送信するメッセージ送信手段と、を備え、前記プレゼンスサーバは、前記メッセージ送信手段により送信されてきたメッセージを蓄積するメッセージ蓄積手段と、前記第二の端末装置が存在する位置に応じて、前記メッセージを前記第二の端末装置に提供するメッセージ提供手段と、を備えることを特徴とするプレゼンス管理システムを提供する。
【００１０】
したがって、本発明によれば、ウォッチャ（第二の端末装置）は、プレゼンティティ（第一の端末装置）により指定された場所に来たときにメッセージを受け取ることができる。よって、プレゼンティティが位置と関連付けて開示したいプレゼンス情報を、その場所にいる又は来たウォッチャに提供することができる。
【００１１】
また、本発明に係るプレゼンス管理システムでは、前記第二の端末装置がプレゼンス情報を見せる機能を、前記第一の端末装置が前記第二の端末装置のプレゼンス情報を見る機能を、さらに有することを特徴とする。
【００１２】
また、本発明に係るプレゼンス管理システムでは、前記プレゼンスサーバは、前記メッセージに対応付けられた位置情報を指定位置情報として前記第二の端末装置に通知する指定位置情報通知手段を備え、前記第二の端末装置は、該端末装置自身の位置を端末位置情報として取得する端末位置情報取得手段を備え、前記端末位置情報と前記指定位置情報とが所定のルールによって一致する場合に、前記メッセージの取得要求を前記プレゼンスサーバに対して送信し、前記プレゼンスサーバは、前記取得要求を受信することにより、前記メッセージを前記第二の端末装置に送信して提供することを特徴とする。
【００１３】
また、前記端末位置情報取得手段は、ＧＰＳ、基地局との通信、非接触ＩＣカードの通信に使用される無線信号、外部機器との近距離無線通信による通信、二次元バーコードの読み取りのいずれかにより前記端末位置情報を取得することを特徴とする。
【００１４】
また、前記プレゼンスサーバは、前記第二の端末装置の位置を端末位置情報として把握し、該端末位置情報と前記メッセージに対応付けられた位置情報である指定位置情報とが所定のルールによって一致する場合に、前記メッセージを前記第二の端末装置に送信して提供することを特徴とする。或いは、前記第一の端末装置および前記第二の端末装置は、該端末装置自身の位置情報を取得する手段と、前記取得される位置情報をプレゼンス情報の一要素として前記プレゼンスサーバに送信する手段とを備え、前記プレゼンスサーバは、前記取得される位置情報を前記第二の端末装置の端末位置情報として把握し、該端末位置情報と前記メッセージに対応付けられた位置情報である指定位置情報とが所定のルールによって一致する場合に、前記メッセージを前記第二の端末装置に送信して提供することを特徴とする。
【００１５】
なお、前記所定のルールは、前記指定位置情報が示す位置を基準とする所定の範囲内に前記端末位置情報が示す位置が含まれることであることを特徴とする。
【００１６】
また、前記メッセージ作成手段は、前記第一の端末装置のプレゼンスを設定するためのプレゼンス設定画面を用いて作成可能であることを特徴とする。
【００１７】
また、前記メッセージ作成手段は、さらに、前記メッセージの有効期限を設定できることを特徴とする。
【００１８】
また、前記メッセージ作成手段は、位置に関する情報だけを前記プレゼンスサーバに送信し、前記プレゼンスサーバはその位置に関する情報から前記メッセージに対応付けられた位置情報である指定位置情報を生成して、前記メッセージと関連付けて蓄積することを特徴とする。
【００１９】
また、前記プレゼンスサーバは、前記メッセージと、プレゼンス情報に含まれるステータスとを関連付けて蓄積することを特徴とする。
【００２０】
また、本発明では、プレゼンス情報を見せる機能を少なくとも有する第一の端末装置と前記第一の端末装置のプレゼンス情報を見る機能を少なくとも有する第二の端末装置のそれぞれを少なくとも一つずつ含むと共に、プレゼンスサーバを含むプレゼンス管理システムであって、前記第一の端末装置は、位置情報と対応付けてメッセージを作成するためのメッセージ作成手段と、前記メッセージを位置情報と共にプレゼンス情報として送信するメッセージ送信手段と、前記メッセージ送信手段により送信するメッセージを蓄積するメッセージ蓄積手段と、を備え、前記プレゼンスサーバは、前記第一の端末装置の前記プレゼンス情報の送信先となる前記第二の端末装置を決定する送信先決定手段を備え、前記送信先決定手段により決定された前記第二の端末装置が存在する位置に応じて、前記メッセージを前記送信先決定手段により決定された第二の端末装置に提供することを特徴とするプレゼンス管理システムを提供する。
【００２１】
また、前記第一の端末装置は、前記メッセージに対応付けられた位置情報を指定位置情報として前記送信先決定手段により決定された第二の端末装置に通知する指定位置情報通知手段を備え、前記送信先決定手段により決定された第二の端末装置は、該端末装置自身の位置を端末位置情報として取得する端末位置情報取得手段を備え、前記端末位置情報と前記指定位置情報とが所定のルールによって一致する場合に、前記メッセージの取得要求を前記第一の端末装置に対して送信し、前記前記第一の端末装置は、前記取得要求を受信することにより、前記メッセージを、前記取得要求を送信した第二の端末装置に送信することを特徴とする。
【発明の効果】
【００２２】
従って、本発明によれば、プレゼンスを用いて、ある場所に関する情報をその場所にいる人に伝えるということを実現可能なプレゼンス管理システムを提供することができる。
【発明を実施するための最良の形態】
【００２３】
以下、図面を参照して、本発明に係るプレゼンス管理システムについて説明する。
【００２４】
図１は、本発明に係るプレゼンス管理システム１を示す概略図である。プレゼンス管理システム１は、複数の通信端末１０と、プレゼンスサーバ２０と、ネットワーク３０とを有する。複数の通信端末１０とプレゼンスサーバ２０とはそれぞれネットワーク３０を介して通信可能である。
【００２５】
通信端末１０は、例えば、携帯電話端末である。本発明の実施形態では、プレゼンス管理システム１中に含まれる複数の通信端末１０をそれぞれ区別して呼ぶ場合、例えば、ユーザＡの端末を通信端末１０Ａ、ユーザＢの端末を通信端末１０Ｂ、ユーザＣの端末を通信端末１０Ｃと呼ぶこととする。各通信端末１０は、ネットワーク３０を介してプレゼンスサーバ２０との間でプレゼンス情報を送受信することができる。プレゼンス情報とは、各通信端末１０の使用者であるユーザＡ、ユーザＢ、ユーザＣの状態（例えば現在通話可能であるか等）を示す情報やその他各ユーザが開示したい内容を含む情報である。なお、本発明の実施形態では、通信端末１０を携帯電話端末として説明を行うが、通信端末１０は、例えばＰＣ、ＰＤＡ、情報家電機器等であってもよく、携帯電話端末に限定されるものではない。また、複数の通信端末１０が全て同一機器である必要もない（例えば、携帯電話端末、ＰＤＡ、ＰＣ等が混在していてもよい）。
【００２６】
プレゼンスサーバ２０は、各通信端末１０のユーザのプレゼンス情報を管理する。それらユーザを加入者（Subscriber）と呼ぶ（本発明の実施形態ではユーザＡ、ユーザＢ、ユーザＣを加入者とする）。そして、加入者のうち、プレゼンス情報を公開する側をプレゼンティティ（Presentity）と呼び、プレゼンス情報を閲覧する側をウォッチャ（Watcher）と呼ぶ。本発明の実施形態では、通信端末１０は相互にプレゼンティティにもウォッチャにもなり得る。例えば、ユーザＡがウォッチャである場合、ユーザＡは、プレゼンティティとしてのユーザＢおよびユーザＣのプレゼンス情報を閲覧することができる。プレゼンスサーバ２０は、プレゼンティティからプレゼンス情報を受け取ったならば、当該プレゼンティティが閲覧を認めたウォッチャへプレゼンス情報を提供するよう機能する。なお、通信端末１０とプレゼンスサーバ２０との間の通信は、例えばＳＩＰ（Session Initiation Protocol）（RFC3261で標準化されている）を利用して行われる。
【００２７】
プレゼンスサーバ２０は、ＣＰＵ２１と、ＲＡＭ２２と、通信制御部２３と、プレゼンス登録者リスト２４と、プレゼンス情報ＤＢ（データベース）２５とを有する。ＣＰＵ２１は、ＲＡＭ２２、通信制御部２３、プレゼンス登録者リスト２４、プレゼンス情報ＤＢ２５のそれぞれを制御する機能を有する。通信制御部２３は、ネットワーク３０との間でプレゼンス情報等を送受信する機能を有する。プレゼンス登録者リスト２４は、プレゼンティティとウォッチャとの関係が登録されているデータベースである。例えば、どの通信端末１０がどの通信端末１０のプレゼンス情報を閲覧するか、どの通信端末１０がどの通信端末１０にプレゼンス情報を開示するか等が登録されている。プレゼンス情報ＤＢ２５は、各通信端末１０のプレゼンス情報が記憶・蓄積されている。各通信端末１０は、それぞれのプレゼンス情報をプレゼンス情報ＤＢ２５にアップロードできる。
【００２８】
ネットワーク３００は、基地局を含む携帯電話通信網、インターネット等により実現されるがそれらに特に限定されるものではない。
【００２９】
次に、通信端末１０について説明する。図２は通信端末１０の外観図であり、図３は通信端末１０のハードウエア構成図である。
【００３０】
図２を参照すると、通信端末１０の筐体の操作面側には、液晶ディスプレイ１１１と、操作部とが設けられている。操作部には、ダイヤルボタン１１４、方向指示キー１１５、オンフックボタン１２１、オフフックボタン１２２が含まれる。また、操作面側上部には、スピーカ１１９用の孔と、アンテナ１０５とが設けられ、下部にはマイク１１８用の孔が設けられている。
【００３１】
図３のハードウエア構成図について説明する。通信端末１０は、端末全体を制御するＣＰＵ１００を有する。ＲＯＭ１０１、ＲＡＭ１０２、フラッシュメモリ１０３、無線通信制御部１０４、液晶ディスプレイ１１１、入力インタフェース部１１３、音声制御部１１７、およびＧＰＳ情報受信部１３０はそれぞれＣＰＵ１００に接続されている。また、無線通信制御部１０４にはアンテナ１０５が、入力インタフェース部１１３には操作部の各種キーが、音声制御部１１７にはマイク１１８およびスピーカ１１９が接続されている。なお、入力インタフェース部１１３に接続される操作部には、表示画面上に表示されるポインタを移動させるための機器や、液晶ディスプレイ１１１を利用したタッチパネル等を含めることができる。なお、後述するようにＧＰＳ情報受信部１３０は必須ではない
【００３２】
ＲＯＭ１０１は、ＣＰＵ１００により実行される各種プログラムおよび固定的なデータを格納した不揮発性の読み出し専用メモリである。ＲＡＭ１０２は、ＣＰＵ１００の作業領域およびデータの一時記憶領域を提供する書き込み可能なメモリである。フラッシュメモリ１０３は、追加的なアプリケーションや各種データを記憶する再書き込み可能な不揮発性メモリである。
【００３３】
無線通信制御部１０４は、アンテナ１０５を介して基地局との間で音声およびデータの無線通信（送受信）を行う機能を有する。端末装置１０は基地局を介してプレゼンスサーバに対してプレゼンス情報の送受信を行うことができる。液晶ディスプレイ１１１は表示画面を有する表示部を構成する。入力インタフェース部１１３は、操作部の各種キーによる入力操作を受け付ける機能を有する。音声制御部１１７は、マイク１１８およびスピーカ１１９を介して音声の入出力を制御する。
【００３４】
次に、通信端末１０におけるプレゼンスに関する機能について説明する。ＲＯＭ１０１或いはフラッシュメモリ１０３には、プレゼンスを管理するためのソフトウエアが格納されている。
【００３５】
図４は、通信端末１０において、プレゼンスを管理するためのソフトウエアにより表示される、ユーザ自身のプレゼンス情報を編集するための画面（プレゼンス設定画面２００）である。
【００３６】
プレゼンス設定画面２００は、ユーザ情報編集領域２１０、ステータス編集領域２２０、メッセージ編集領域２３０、応答可否編集領域２４０を少なくとも有している。
【００３７】
ユーザ情報編集領域２１０には、ユーザの名前、読み仮名、プレゼンス情報として使用する画像のファイル名等の各項目を編集することができる。各項目の編集を行う際には、ユーザが通信端末１０の操作部を操作することにより、各項目にフォーカスを当てた後Ｅｎｔｅｒボタン２００ａを入力操作することによりその項目の編集を開始することができる。
【００３８】
ステータス編集領域２２０では、現在のユーザのステータスを編集することができる。ステータスとは、ユーザの現在の状態（例えば、「外出中」、「仕事中」、「食事中」、「移動中」、「休憩中」、「遊び中」、「飲み中」、「取り込み中」、「一時退席中」、「端末使用中」、「就寝中」、「授業中」等）を示すものである。また、２２０ａには通信端末１０がオンラインであるかオフラインであるかが表示される。２２０ｂには現在のステータスが表示される。２２０ｃは、ユーザがステータスを編集する領域である。例えば、プルダウンメニューによりステータスを選択することができる。２２０ｃにおいてユーザ操作によりステータスが変更されると、２２０ｂのステータスを示す表示は自動的に変更される。なお、上述のステータスの例は、一例であってそれらに限定されるものではない。
【００３９】
メッセージ編集領域２３０は、コメント（或いはメッセージ）編集ボックス２３０ａと、種別編集ボックス２３０ｂと、位置編集ボックス２３０ｃと、期限編集ボックス２３０ｄとを有する。なお、本発明の実施形態においては、以降、コメントとは現在のプレゼンス情報としてプレゼンスサーバ２０に登録されるテキストデータであり、メッセージとは後述する位置情報と関連付けられてプレゼンスサーバ２０に蓄積されるテキストデータであるものと定義する。コメント編集ボックス２３０ａには任意のテキストを入力することができる。種別編集ボックス２３０ｂは、コメント編集ボックス２３０ａに入力されたテキストをコメントとするかメッセージとするかを選択するためのものである。すなわち、プルダウンメニューにより、コメントとする場合は「通常」を選択し、メッセージとする場合は「メッセージ」を選択する。
【００４０】
位置編集ボックス２３０ｃは、メッセージに関連付ける位置情報（指定位置情報）を指定するためのものである。例えば、プルダウンメニューにより、「ＧＰＳ」、「地図」、「住所」、「郵便番号」、「駅名」、「建物名」、「店名」、「緯度・経度」等の位置指定方法を選択可能である。「ＧＰＳ」が選択されると、ＧＰＳ情報受信部１３０（図３）により通信端末１０の現在の位置情報（緯度・経度）が取得される。また、「緯度・経度」を選択することにより、緯度・経度の位置情報を直接入力することもできる。また、「地図」が選択されると、地図画面が表示され、地図上で位置を決定することにより、その位置に対応する位置情報（緯度・経度）が取得される（通信端末１０が地図上から位置情報を取得できるソフトウエアを備えていることが前提である）。
【００４１】
また、「住所」が選択されると、その住所に対応する位置情報が取得される。「郵便番号」が選択されると、その郵便番号に対応する位置情報が取得される。「駅名」が選択されると、その駅名に対応する位置情報が取得される。「建物名」が選択されると、その建物名に対応する位置情報が取得される。「店名」が選択されると、その店名に対応する位置情報が取得される。これらの位置情報は、予め「住所」、「駅名」、「建物名」、「店名」と緯度・経度とを関連付けるテーブルが通信端末１０に備えられていることにより抽出される緯度・経度そのものであってもよいし、それらの名称をテキスト情報としてプレゼンスサーバ２０に送信するのでもよい。テキストとしてプレゼンスサーバ２０に送信する場合は、プレゼンスサーバ２０において位置情報に変換される。
【００４２】
位置情報編集ボックス２３０ｃの選択操作により取得された位置情報はＲＡＭ１０２等に一旦格納される。
【００４３】
期限編集ボックス２３０ｄは、メッセージの有効期限を設定するためのボックスである。メッセージの有効期限とは、プレゼンスサーバ２０にメッセージを蓄積しておく期間である。また、後述するようにウォッチャとなる通信端末１０においてそのメッセージを要求する期限ともなる。期限の選択方法は、例えば、一日、一週間、一ヶ月、∞等プルダウンメニューにより選択可能であってもよいし、期限編集ボックス２３０ｄに直接入力可能であってもよい。
【００４４】
なお、例えば、位置編集ボックス２３０ｃと期限編集ボックス２３０ｄとは、種別編集ボックス２３０ｂにおいてメッセージと選択されるまでは入力不可状態としてもよい。
【００４５】
応答可否編集領域２４０は、プレゼンス情報として、音声通話の可否、チャットの可否、メールの可否、ＰＴＴ（トランシーバ機能）の可否、Video Callの可否を設定するものである。なお、この例では、「音声通話」は「不可」、「チャット」は「不可」、「メール」は「後で返信」、「ＰＴＴ」は「不可」、「Video Call」は「不可」にそれぞれ設定されている。また、端末モード設定（プレゼンスの切り替えを端末の機能と関連付ける）や、待ち受けへの登録の有無（プレゼンス情報を待ち受け画面に表示させるか否か）や、プライバシーレベルの設定（例えば、プレゼンス登録者リストに登録されているウォッチャに対し親密度によるレベル分けをし、これらのウォッチャのうちどのウォッチャに自分の情報を開示するか等を設定可能）を行うこともできる。
【００４６】
このプレゼンス設定画面２００による編集後、画面右下のＳａｖｅボタン２００ｂを入力操作することにより、通信端末１０にこのプレゼンス設定が保存される。その後、ダイアログメニュー等によりプレゼンスサーバ２０へプレゼンス情報を送信するか否かが問われ、ユーザの操作によりプレゼンス情報が送信される。なお、プレゼンスサーバ２０へ送信されるプレゼンス情報のうち、メッセージ、位置情報、有効期限情報は蓄積され、その他のプレゼンス情報は変更があったもののみ更新される。
【００４７】
図４に示すプレゼンス設定画面２００では、メッセージを入力する際に使用するコメント編集ボックス２３０ａと、ステータスの編集領域２２０ｃとが同時に表示されている。ユーザは、メッセージと位置情報とを利用しようとしたとき、同時に表示されているステータスを変更する可能性が高い。したがって、このようなメッセージと位置情報とを合わせた新規なサービスを導入することにより、これまで、煩雑な操作であるステータスを変更する作業をあまり行わなかったユーザがステータスを変更する頻度が高くなることが想定される。ステータスを変更することで、プレゼンスとしての本来の機能が有効に活用されることとなる。
【００４８】
次に、プレゼンティティとなる通信端末１０においてメッセージを登録する際の処理を図５に示す。なお、以降、プレゼンティティを通信端末１０Ａ（ユーザＡ）、ウォッチャを通信端末１０Ｂ（ユーザＢ）として説明を行う。
【００４９】
ステップＳ１０１では、通信端末１０Ａにおいて、ユーザＡの所定の操作によりプレゼンス設定画面２００（図４）が表示される。
【００５０】
ステップＳ１０３では、プレゼンス設定画面２００の入力が完了したかどうかが判定される。すなわち、例えば、Ｓａｖｅボタン２００ｂが入力操作されたかどうかが判定される。ユーザＡがプレゼンス設定画面２００において入力を行い、Ｓａｖｅボタン２００ｂが入力されるまでは、本処理は待機状態となる（ステップＳ１０３：ＮＯ）。Ｓａｖｅボタン２００ｂが入力されれば（ステップＳ１０３：ＹＥＳ）、ステップＳ１０５へ進む。
【００５１】
ステップＳ１０５では、種別編集ボックス２３０ｂにおいてメッセージが選択されたか否かが判定される。メッセージが選択されていなければ（ステップＳ１０５：ＮＯ）、メッセージ登録に係る本処理は終了する。メッセージが選択されると（ステップＳ１０５：ＹＥＳ）、ステップＳ１０７へ進む。
【００５２】
ステップＳ１０７では、位置編集ボックス２３０ｃへの入力をもとに位置情報が決定される。上述のように、決定される位置情報は緯度・経度情報、或いはテキスト情報である。
【００５３】
ステップＳ１０９では、期限編集ボックス２３０ｄへの入力をもとに有効期限が決定される。期限編集ボックス２３０ｄにおいて有効期限が設定されていなければ、有効期限はなくてもよい。或いは、後にプレゼンスサーバ２０において、予め定められた期限が設定されてもよい。
【００５４】
ステップＳ１１１では、メッセージ、位置情報、有効期限等をプレゼンス情報に含めてプレゼンスサーバ２０へ送信する（有効期限が設定されていなければ有効期限に関する情報は含まれない）。この際、ヘッダ情報として任意の情報も含まれる。
【００５５】
図６は、プレゼンスサーバ２０の処理を示すフローチャートである。図６（ａ）は、通信端末１０Ａからプレゼンス情報を受信したときに行われる、メッセージに関する処理を示すものである。図６（ｂ）は、図６（ａ）に示す処理とは独立して、プレゼンスサーバ２０において定期的に行われる処理を示すものである。
【００５６】
ステップＳ２０１では、通信端末１０Ａにより送信されたプレゼンス情報を受信する。ステップＳ２０３では、その受信したプレゼンス情報にメッセージが含まれるか否かを判定する。メッセージが含まれていなければ（ステップＳ２０３：ＮＯ）、本処理は終了する。通信端末１０Ａにより送信されたプレゼンス情報にメッセージが含まれていれば（ステップＳ２０３：ＹＥＳ）、ステップＳ２０３へ進む。
【００５７】
ステップＳ２０５では、プレゼンスＤＢ２５へメッセージや位置情報や有効期限等がそれぞれ関連付けられて蓄積される。
【００５８】
ステップＳ２０７では、プレゼンスサーバ２０は、プレゼンス登録者リスト２４において通信端末１０Ａのウォッチャとして登録されている通信端末１０Ｂへ位置情報（及び有効期限情報）を含めたメッセージの更新通知情報を送信する。この更新通知情報にはメッセージは含まれない。
【００５９】
図６（ｂ）のステップＳ３０１では、プレゼンスＤＢ２５にメッセージの蓄積があるか否かが判定される。メッセージの蓄積がなければ（ステップＳ３０１：ＮＯ）、本処理は終了する。メッセージの蓄積があれば（ステップＳ３０１：ＹＥＳ）、ステップＳ３０３へ進む。
【００６０】
ステップＳ３０３では、蓄積されたメッセージの中に有効期限切れのメッセージがあるか否かが判定される。有効期限切れのメッセージがなければ（ステップＳ３０３：ＮＯ）、本処理は終了する。有効期限切れのメッセージがあれば（ステップＳ３０３：ＹＥＳ）、ステップＳ３０５へ進む。
【００６１】
ステップＳ３０５では、ステップＳ３０３において有効期限切れと判定されたメッセージおよびそのメッセージに関連付けられた位置情報および有効期限情報をプレゼンスＤＢ２５から削除する処理を行う。その後、本処理は終了する。
【００６２】
図７は、プレゼンスＤＢ２５に含まれるプレゼンス情報のうち特にメッセージに関する部分を示すテーブルである。例えば、メッセージと位置情報とは、ステータスに関連付けて記憶される。図７では、ステータス「外出中」に対して位置情報とメッセージの組み合わせがそれぞれ関連付けられている。
【００６３】
図８は、図６（ａ）のステップＳ２０７においてプレゼンスサーバ２０が送信した更新通知情報を受信する通信端末１０Ｂにより行われる処理を示すフローチャートである。
【００６４】
ステップＳ４０１では、プレゼンスサーバ２０により送信された、位置情報（及び有効期限情報）を含むメッセージの更新通知情報を、ネットワーク３０を介して受信する。そして、それらをフラッシュメモリ１０３等へ記憶する。この更新通知情報にはその他所定のヘッダ情報も含まれる。
【００６５】
ステップＳ４０３では、ステップＳ４０１において受信した更新通知情報に係るメッセージが有効期限内であるか否かが判定される。有効期限内であれば（ステップＳ４０３：ＹＥＳ）、ステップＳ４０５へ進む。有効期限を過ぎていれば（ステップＳ４０３：ＮＯ）、ステップＳ４０７へ進む。なお、メッセージに有効期限が設定されていなければ（更新通知情報に有効期限に関する情報が含まれていない場合を含む）、ステップＳ４０５へ進む。
【００６６】
ステップＳ４０７では、その有効期限の過ぎているメッセージの更新通知情報をフラッシュメモリ１０３から消去する。
【００６７】
ステップＳ４０５では、通信端末１０Ｂの位置情報（以降、端末位置情報という）を取得するための処理が行われる。例えば、端末位置情報は、ＧＰＳにより定期的に取得され、緯度・経度情報としてＲＡＭ１０２に格納されている。或いは、基地局との通信により端末位置情報が取得されＲＡＭ１０２に格納されている構成でもよい。また、駅の改札口等において非接触式のＩＣカードを利用したときに通信端末１０Ｂが端末位置情報を取得する構成でもよい。また、その他、外部機器との無線通信や二次元バーコードを読み取ることによって端末位置情報を取得してもよい。その後、ステップＳ４０９へ進む。
【００６８】
ステップＳ４０９では、プレゼンスサーバ２０から受信した位置情報（指定位置情報）とステップＳ４０５において取得した端末位置情報とを比較する。例えば、緯度・経度情報で比較する場合、通信端末１０Ｂが、指定位置情報で示された位置から半径何ｍ以内にいるかどうかを判定することができる。また、端末位置情報が基地局との通信により取得される場合は、通信端末１０Ｂが現在いる基地局のエリアが指定位置情報で示される位置に含まれるかどうかで判定することができる。
【００６９】
ステップＳ４０９での比較結果が一致すれば（ステップＳ４１１：ＹＥＳ）、ステップＳ４１３へ進む。比較結果が一致しなければ（ステップＳ４１１：ＮＯ）、ステップＳ４１９へ進む。
【００７０】
ステップＳ４１３では、通信端末１０Ｂは、プレゼンスサーバ２０へ対してメッセージを送信するように要求する。この際、メッセージを特定するための所定の情報、例えば、ヘッダ情報から抽出したデータを送信する。
【００７１】
ステップＳ４１５では、通信端末１０Ｂは、メッセージを受信する。受信されたメッセージは、画面上に表示される、或いはメッセージ本文ではない「１件受信」等のような表示がされる。
【００７２】
ステップＳ４１９では、プレゼンスサーバ２０からメッセージの取得が済んでいれば（ステップＳ４１９：ＹＥＳ）、本処理は終了し、メッセージの取得が済んでいなければ（ステップＳ４１９：ＮＯ）、ステップＳ４０３へ戻る。
【００７３】
図８に示すような通信端末１０Ｂの処理によれば、通信端末１０Ｂは、プレゼンスサーバ２０から指定位置情報を受信し、端末自身の端末位置情報との照合により、一致した場合にプレゼンスサーバ２０からメッセージを取得する。
【００７４】
なお、図８に示す処理では、ステップＳ４０３において有効期限の判定処理を行ったが、例えば、ステップＳ４１１とステップＳ４１３の間で行う構成としてもよい。その場合、有効期限が切れていればステップＳ４１３のメッセージ要求送信の処理は行われない。また、有効期限の判定処理は全く行われなくともよい。通信端末１０Ｂにおいて有効期限の判定処理が行われない場合、例えば、ステップＳ４１３においてプレゼンスサーバ２０へメッセージを要求して初めて期限切れであることが通知される。
【００７５】
図９は、図８のステップＳ４１７において表示される画面の一例を示す図である。図９（ａ）では、メール受信件数表示領域３０１、不在着信件数表示領域３０２、プレゼンス情報受信件数表示領域３０３がある。図８のステップＳ４１５においてメッセージを受信すると、ステップＳ４１７では、プレゼンス情報受信件数表示領域３０３に１件追加される。
【００７６】
図９（ｂ）は、受信プレゼンスメッセージ一覧表示画面の一例である。例えば、図８のステップＳ４１５において受信したメッセージの項目（３１１）が表示される。また、プレゼンス情報として受信するメッセージには、通信端末１０Ａによりプレゼンスサーバ２０に蓄積されたメッセージの他にも、プレゼンスサーバ２０の処理により送信されるメッセージもある。すなわち、プレゼンスサーバ２０の処理により送信されるメッセージとは、例えば、他の通信端末１０からプレゼンス登録依頼があったとか（３１３）、試みたプレゼンス登録が成功・失敗したとか（３１２）を通知するものがある。
【００７７】
図９（ｃ）は、メッセージの詳細を示す画面である。ヘッダ領域３２１とメッセージ表示領域３２２とからなる。例えば、ヘッダ領域３２１には、メッセージ登録日時、送信者、位置、メッセージ作成時のステータス等が表示可能である。メッセージ表示領域３２２には、メッセージの本文が表示される。
【００７８】
さらに、例えば、ヘッダ領域３２１に表示されている送信者の名前にフォーカスを当てて選択操作を行うと、その送信者の現在のプレゼンスステータス等のプレゼンス情報を表示する画面に移行することができる構成となっていてもよい。
【００７９】
図１０は、通信端末１０Ｂの位置とその位置における通信端末１０Ｂの処理の一例を説明するための図である。
【００８０】
例えば、ユーザＢの通信端末１０Ｂは、新宿にいるときにメッセージの更新通知情報を２件受信したとする。更新通知情報の一つは、指定位置情報が「多摩センター駅」を示すものであり、もう一つは、指定位置情報が「多摩郵便局」を示すものであったとする。
【００８１】
ユーザＢは多摩センター駅付近であるエリアＴにくると、通信端末１０Ｂは「多摩センター駅から南へ・・・」というメッセージを受信する。また、ユーザＢは多摩郵便局付近であるエリアＰにくると、「多摩郵便局の隣のビルの・・・」というメッセージを受信する。
【００８２】
また、例えば、近所のスーパー近辺（指定位置情報）に「玉ねぎ買ってきて」というメッセージを登録するという利用方法もある。その場合、お互いにプレゼンス登録している誰かがスーパーに訪れた際にそのメッセージが配信される。
【００８３】
このように、本発明に係るプレゼンス管理システムでは、プレゼンティティはプレゼンス機能を用いて位置を指定したメッセージを作成することができ、さらにそのメッセージをプレゼンスサーバに蓄積しておくことができる。その蓄積されたメッセージは、指定された位置にいる或いは来たウォッチャに送信される。したがって、本発明により、従来蓄積させることは意図されていなかったプレゼンス情報を蓄積させることで、プレゼンスを用いて、ある場所に関する情報をその場所にいる人に伝えるということを実現可能なプレゼンス管理システムを提供することができる。また、本発明によれば、プレゼンティティは、プレゼンス登録者リストに登録されている人のうち所定の位置にいる人やこれから来る人に任意のメッセージを残すことができる。これは、メールのような相手を限定したコミュニケーションとは異なり、プレゼンス登録者リストと位置情報を軸とし、相手をより広い枠で限定したコミュニケーションを実現することができる。また、プレゼンス情報を互いに公開する相手はそもそも親密度が高いと思われるので、本発明の実施形態のメッセージをプレゼンスの一要素に含めるこのようなサービスを提供することはユーザにとって利便性が高い。
【００８４】
また、本発明に係るプレゼンス管理システムは上述のような構成だけではなく、その趣旨を逸脱しない範囲で様々な変形が可能である。
【００８５】
例えば、図８のステップＳ４０５では、通信端末１０Ｂ自身が端末位置情報を取得して、ステップＳ４０９において位置情報の比較を行ったが、通信端末１０Ｂの端末位置情報を把握、比較する処理はプレゼンスサーバ２０において行われてもよい。具体的には、プレゼンスサーバ２０は、基地局を介して、通信端末１０Ｂ位置を把握することができる。指定位置情報により示される位置がある基地局の範囲内である場合、通信端末１０Ｂがその基地局の範囲内に来た場合に位置情報が一致したと判定することができる。なお、この場合、通信端末１０Ｂは、図８のステップＳ４１３に示すメッセージ要求を送信するという処理は行う必要はなく、プレゼンスサーバ２０がメッセージをＰＵＳＨ送信する構成となる。
【００８６】
その構成によるプレゼンスサーバ２０と通信端末１０Ｂにおける処理を図１１から図１３を用いて説明する。
【００８７】
図１１（ａ）はプレゼンスサーバ２０における処理であり、図５のステップＳ１１１において通信端末１０Ａから送信されたプレゼンス情報を受信するところから開始する。本処理は、ステップＳ５０１、ステップＳ５０３、ステップＳ５０５はそれぞれ、図６（ａ）のステップＳ２０１、ステップＳ２０３、ステップＳ２０５と同様の処理となるのでその説明は省略する。図１１（ｂ）も図６（ｂ）と同様の処理であるのでその説明は省略する。
【００８８】
図１２は、プレゼンスサーバ２０において図１１に示す処理とは独立して定期的に行われる処理である。ステップＳ７０１では、プレゼンスＤＢ２５にメッセージの蓄積があるか否かが判定される。メッセージの蓄積がなければ（ステップＳ７０１：ＮＯ）、本処理は終了する。メッセージの蓄積があれば（ステップＳ７０１：ＹＥＳ）、ステップＳ７０２へ進む。
【００８９】
ステップＳ７０３では、プレゼンスサーバ２０が基地局からウォッチャ（通信端末１０Ｂ）の端末位置情報を取得する。
【００９０】
ステップＳ７０５では、ステップＳ７０３において得られた端末位置情報と、プレゼンスＤＢ２５に蓄積されているメッセージに関連付けられた指定位置情報とを比較する。図８のステップＳ４０９において説明したような方法で比較される。
【００９１】
ステップＳ７０５での比較結果が一致すれば（ステップＳ７０７：ＹＥＳ）、ステップＳ７０９へ進む。比較結果が一致しなければ（ステップＳ７０７：ＮＯ）、本処理は終了する。
【００９２】
ステップＳ７０９では、比較結果が一致したウォッチャ（通信端末１０Ｂ）へメッセージを送信する。
【００９３】
図１３は、メッセージを受信した通信端末１０Ｂにおける処理を示すフローチャートである。ステップＳ８０１では、メッセージを受信する。ステップＳ８０３では、図８のステップＳ４１７と同様の処理が行われるのでその説明は省略する。
【００９４】
図１４は、プレゼンス設定画面の他の実施形態（プレゼンス設定画面１２００）を示す図である。メッセージ編集領域１２３０は、メッセージ編集ボックス１２３０ａと、位置編集ボックス１２３０ｃと、期限編集ボックス１２３０ｄとを有する。メッセージ編集ボックス１２３０ａには任意のテキストを入力することができる。メッセージ編集ボックス１２３０ａに何も入力されていなければ、位置編集ボックス１２３０ｃと、期限編集ボックス１２３０ｄは入力不可状態となっている。図１４に示す実施形態では、コメントとメッセージとを独立して設定することができる。すなわち、現在の状態を示す情報としてコメントをプレゼンスサーバ２０に更新すると同時に、メッセージを蓄積することができる。
【００９５】
また、本発明に係るプレゼンス管理システムのその他の実施形態では、プレゼンスサーバ２０が、プレゼンス登録者リスト２４と、オンライン／オフラインの情報、通信端末のＩＰアドレス等のアドレス情報を管理し、実際のプレゼンス情報の交換については、通信端末１０間でのＰ２Ｐ通信にて行ってもよい。つまり、通信端末１０Ａは、メッセージの更新通知情報を通信端末１０Ｂに直接送信する。通信端末１０Ｂでは、位置情報が合致したら、通信端末１０Ａに直接、メッセージを要求する。この場合、メッセージはプレゼンスサーバ２０に蓄積されない。代わりに通信端末１０Ａのフラッシュメモリ１０３等にメッセージ等が蓄積される構成となる。
【００９６】
また、本発明に係るプレゼンス管理システムのその他の実施形態では、図８のステップＳ４１５では、通信端末１０Ｂはプレゼンスサーバ２０からメッセージを受信する構成としたが、例えばＥメール等により受信する形態でもよい。Ｅメールの場合は、予めプレゼンスサーバ２０から、メールサーバへと、メッセージが移される。そして、ステップＳ４１３において、通信端末１０Ｂがメッセージ要求をプレゼンスサーバ４１３へ出すと、プレゼンスサーバ２０はメールサーバから通信端末１０Ｂへそのメッセージを含むメールを送信するように指示する。
【００９７】
また、本発明に係るプレゼンス管理システムのその他の実施形態では、プレゼンスサーバ２０には、位置情報とメッセージとを関連付けて蓄積する構成としたが、さらに、人（個人、グループ）や、親しさのレベルを示す情報を指定してもよい。例えば、ユーザＣは除いてユーザＢを含める構成とすれば、図１０を参照すると、ユーザＢは多摩センター駅付近に来たときにメッセージを受信したが、ユーザＣは多摩センター駅付近に来てもメッセージを受信しない。
【００９８】
また、本発明に係るプレゼンス管理システムでは、通信端末１０Ａが送信するメッセージを通信端末１０Ａ自身が受信することを排除しない。プレゼンス管理システムでは、プレゼンスサーバ２０の指示によりプレゼンティティ自身のプレゼンス情報が自動的に切り替えられる場合も有り得る。したがって、プレゼンティティ自らがプレゼンスサーバ２０に蓄積させたメッセージをプレゼンティティが受信することも可能である。このような構成により、例えば備忘録のような用途として用いることが可能となる。
【００９９】
また、本発明に係るプレゼンス管理システムのその他の実施形態では、通信端末１０の位置情報はメッセージに関連付ける位置情報として用いるものとしたが、通信端末１０の位置情報をプレゼンス情報の一構成要素としてプレゼンスサーバ２０に定期的にアップロードする構成であってもよい。すなわち、プレゼンティティの位置情報がプレゼンス情報としてウォッチャに公開される場合である。この場合、プレゼンティティはメッセージ登録時に、プレゼンス情報の一構成要素である位置情報を指定する、或いは別の位置情報を指定することができる。また、プレゼンスサーバ２０は、ウォッチャにメッセージを送信するか否かは、ウォッチャのプレゼンス情報の一構成要素である位置情報に基づいて判断してもよい。このような構成により、位置情報を関連付けたメッセージはプレゼンス情報とより密接な関係を有することとなり、ユーザは、メッセージを利用する場合にプレゼンスに触れる機会が増え、また、プレゼンスを利用する場合にメッセージを利用する機会が増える。したがって、ユーザがプレゼンスサービスを利用する機会も増える。
【０１００】
以下、本発明から生じうる効果について説明する。ＰＣのような非移動端末の場合、オンライン／オフライン／アイドル等の端末の状態の変化があるので、ＰＣ等にプレゼンスを活用することは非常に有効である。しかし、携帯端末の場合、基本的に電源がＯＮであり、必要なときだけ操作されるので、端末自体の変化は少ない。したがって、携帯端末はプレゼンスの変更にユーザからの積極的な働きかけ（手動による切替え）が必要であるが、煩雑という理由で行われないことが容易に想像でき、いかにしてユーザがプレゼンスを切り替えるだけの動機付けを与えるかが課題であった。そこで本発明は、携帯端末の“ユーザに携帯されて位置が変化する”という特徴を生かしたプレゼンス機能を提案することで、ユーザのプレゼンスサービスへの活発な利用を図ることができる。
【図面の簡単な説明】
【０１０１】
【図１】本発明に係るプレゼンス管理システム１を示す概略図である。
【図２】通信端末１０の外観図である。
【図３】通信端末１０のハードウエア構成図である。
【図４】プレゼンス情報を編集するための画面を示す図である。
【図５】メッセージを登録する際の処理を示す図である。
【図６】プレゼンスサーバ２０の処理を示すフローチャートである。
【図７】プレゼンスＤＢに含まれるプレゼンス情報を示すテーブルである。
【図８】通信端末１０Ｂにより行われる処理を示すフローチャートである。
【図９】図８のステップＳ４１７において表示される画面の一例を示す図である。
【図１０】通信端末１０Ｂの位置とその位置における通信端末１０Ｂの処理の一例を説明するための図である。
【図１１】本発明の他の実施形態におけるプレゼンスサーバ２０における処理を示す図である。
【図１２】図１１に示す処理とは独立して定期的に行われるプレゼンスサーバ２０の処理である。
【図１３】メッセージを受信した通信端末１０Ｂにおける処理を示すフローチャートである。
【図１４】プレゼンス設定画面の他の実施形態を示す図である。
【符号の説明】
【０１０２】
１  プレゼンス管理システム
１０  通信端末
２０  プレゼンスサーバ
２４  プレゼンス登録者リスト
２５  プレゼンスＤＢ
３０  ネットワーク
２００  プレゼンス設定画面
２１０  ユーザ情報編集領域
２２０  ステータス編集領域
２３０  メッセージ編集領域
２３０ａ  コメント編集ボックス
２３０ｂ  種別編集ボックス
２３０ｃ  位置編集ボックス
２３０ｄ  期限編集ボックス
２４０  応答可否編集領域
【図１】
2007208393.tif 000003
【図２】
2007208393.tif 000004
【図３】
2007208393.tif 000005
【図４】
2007208393.tif 000006
【図５】
2007208393.tif 000007
【図６】
2007208393.tif 000008
【図７】
2007208393.tif 000009
【図８】
2007208393.tif 000010
【図９】
2007208393.tif 000011
【図１０】
2007208393.tif 000012
【図１１】
2007208393.tif 000013
【図１２】
2007208393.tif 000014
【図１３】
2007208393.tif 000015
【図１４】
2007208393.tif 000016